(57)【要約】【課題】敷設方向の制限をなくし、敷設作業性を高める。さらに、配線取り出し口の形成位置に対する自由度の高いフロアパネルを提供する。【解決手段】平坦面からなる天面を有するパネル本体１０１と、前記パネル本体１０１の隅部に設けられ、前記パネル本体同士を連結するジョイナ２００を載置する凹部と、前記パネル本体の内部に収納された、電力線４００または通信線５００の少なくとも一方と、前記凹部のうち複数個所に設けられ、前記電力線または通信線の接続用電極とを具備し、複数を敷き詰めることでフロア面を構成するシステムフロア用のフロアパネル１００と、前記フロアパネルの周縁の一部に重なるように配置され、複数のフロアパネルを結合するジョイナとで構成され、前記フロアパネルと前記ジョイナの配置により、前記電力線または通信線の少なくとも一方の配線を選択可能に形成された配線システムを提供する。【選択図】図１
2011111774.tif 000002
【特許請求の範囲】
【請求項１】
平坦面からなる天面を有するパネル本体と、
前記パネル本体の隅部に設けられ、前記パネル本体同士を連結するジョイナを載置する凹部と、
前記パネル本体の内部に収納された、電力線または通信線の少なくとも一方と、
前記凹部のうち複数個所に設けられ、前記電力線または通信線の接続用電極とを具備し、複数を敷き詰めることでフロア面を構成するシステムフロア用のフロアパネルと、
前記フロアパネルの周縁の一部に重なるように配置され、複数のフロアパネルを結合するジョイナとで構成され、
前記フロアパネルと前記ジョイナの配置により、前記電力線または通信線の少なくとも一方の配線を選択可能に形成された配線システム。
【請求項２】
平坦面からなる天面を有するパネル本体と、
前記パネル本体の隅部に設けられ、前記パネル本体同士を連結するジョイナを載置する凹部と、
前記パネル本体の内部に収納された、電力線または通信線の少なくとも一方と、
前記凹部のうち複数個所に設けられ、前記電力線または通信線の接続用電極とを具備し、複数を敷き詰めることでフロア面を構成するシステムフロア用のフロアパネル。
【請求項３】
請求項２に記載のフロアパネルであって、
前記パネル本体は正方形であり、
前記凹部は前記正方形の４隅に設けられた正方形の凹部であるフロアパネル。
【請求項４】
請求項２に記載のフロアパネルであって、
前記接続用電極は、前記正方形の４辺のうちの１辺の両端に位置する凹部にのみ設けられているフロアパネル。
【請求項５】
請求項４に記載のフロアパネルであって、
前記天面に、前記両端に位置する凹部に前記接続用電極を設けてなる前記１辺を表示する表示を具備したフロアパネル。
【請求項６】
請求項２乃至５のいずれかに記載のフロアパネルであって、
前記電力線または通信線は、前記パネル本体の裏面側に収納されるケーブルであるフロアパネル。
【請求項７】
請求項２乃至５のいずれかに記載のフロアパネルであって、
前記電力線または通信線は、前記パネル本体内に埋め込み成型されたフロアパネル。
【請求項８】
請求項７に記載のフロアパネルであって、
前記電力線または通信線は、前記パネル本体で絶縁被覆された芯線であるフロアパネル。
【請求項９】
請求項７または８に記載のフロアパネルであって、
前記パネル本体は、樹脂成型体で構成され、
前記電力線または通信線の少なくとも一方を構成する導電板のパターンを挟んで一体成型されたフロアパネル。
【請求項１０】
請求項７または８に記載のフロアパネルであって、
前記パネル本体は、セラミック成型体で構成され、
前記電力線または通信線の少なくとも一方を構成する導電板のパターンを挟んで積層成型されたフロアパネル。
【請求項１１】
請求項９または１０に記載のフロアパネルであって、
前記電力線または通信線は、同一層で構成されたフロアパネル。
【請求項１２】
請求項９または１０に記載のフロアパネルであって、
前記電力線または通信線は、異なる層で構成されたフロアパネル。
【請求項１３】
請求項２乃至１２のいずれかに記載のフロアパネルであって、
前記天面中央に着脱自在に装着された開閉式の取り出し電極を具備し、
前記取り出し電極は前記電力線または通信線の少なくとも一方に接続されたフロアパネル。
【請求項１４】
請求項１３に記載のフロアパネルであって、
前記天面中央に開口部を有するとともに、かつその開口部側面に、前記電力線または通信線の少なくとも一方に接続された接続電極を有し、
前記取り出し電極が前記接続電極に接続されるように、前記開口部に着脱自在に装着された取り出しユニットを含むフロアパネル。
【請求項１５】
請求項１３または１４に記載のフロアパネルであって、
前記取り出しユニットと同一の外形を有し、取り出しユニット不要時に前記開口部に装着される埋め込みユニットを具備したフロアパネル。
【請求項１６】
請求項２乃至１５のいずれかに記載のフロアパネルの前記凹部に装着され、
隣接する複数のフロアパネルを接続するとともに、前記電力線または通信線の少なくとも一方を、前記複数のフロアパネルの内の一組と電気的に相互接続するように構成されたジョイナ。
【請求項１７】
請求項１６に記載のジョイナであって、
前記ジョイナは、前記フロアパネルに形成された接続孔に挿通される接続ピンを有し、
前記接続ピンによって前記フロアパネルと前記ジョイナとを固定するように構成されたジョイナ。
【請求項１８】
請求項１７に記載のジョイナであって、
前記ジョイナは、正方形状をなし、前記フロアパネルを４枚接続するように構成され、  前記４辺のうち２辺もしくは３辺上に位置する前記接続ピン間の前記電力線または通信線の少なくとも一方を接続するように構成されたジョイナ。
【請求項１９】
請求項１８に記載のジョイナであって、
前記ジョイナは、スイッチを内蔵し、スイッチのオンオフにより、接続方向を選択可能に構成されたジョイナ。
【請求項２０】
請求項１７乃至１９のいずれかに記載のジョイナであって、
前記ジョイナは、接続ピンに加えて、固定用ピンを具備したジョイナ。
【請求項２１】
請求項２０に記載のジョイナであって、
前記接続ピンの周りを囲むように前記固定用ピンが設けられ、前記接続ピンおよび前記固定用ピンは、同一軸をもつジョイナ。
【請求項２２】
請求項１７乃至２１のいずれかに記載のジョイナであって、
前記接続ピンは、周上に部分的に接続領域を有しており、回転により、接続のオンオフが選択可能に構成されたジョイナ。
【発明の詳細な説明】
【技術分野】
【０００１】
本発明は、配線パネルシステム、これに用いられる配線パネルおよびジョイナに係り、特にオフィスなどで二重床内部に敷設された配線や配管などの配線類を必要とされる位置に応じて立ち上げ或いは引き出すことができ、レイアウト変更の容易な配線パネルシステム、これに用いられる配線パネルおよびこれを接続するジョイナに関する。
【背景技術】
【０００２】
近年、オフィス等においてＯＡ機器の使用増大に伴い、それらの配線処理や管理・マネジメントの必要性が高まり、二重床パネルなど床置きタイプのフロアパネルの利用が拡大している。この床置きタイプのフロアパネルを用いることにより、レイアウトに応じてユーザーの必要とする使い勝手のよい床位置にある二重床面から配線類を取り出し、種々の配線器具類等を自在に設けることができるようになっている。また、特に配線類をＯＡ機器の近くや、机・壁・柱回り等に立ち上げる、例えばＯＡタップ等に接続するために配線を二重床内部から立ち上げる必要性がある場合が多い。
【０００３】
例えば、複数の支持体により内部に配線類空間が形成される二重床用構造体であって、該二重床用構造体の上面に配線類引出用領域が所定間隔毎に設けられ、該配線類引出用領域の少なくとも一部が打抜或いは切除で開口可能なものが提案されている（特許文献１）。
この二重床用構造体では、例えば、図２９および図３０に要部拡大図を示すように、天板付き単位体１１０３が配線用溝を隔てて配列され、この配線用溝をクロスカバー部１１１０と、ストレートカバー部１１１１とでカバーして構成されている。ここで、ケーブル用の引き出し穴１１０１は直径１２ｍｍのものが最多４か所／パネルであり、ひとつの引き出し穴１１０１から１本のケーブルのみを取り出せる構造である。一方、学校のパソコン教室などでは一度に複数のケーブルを引き出したいという要望も出てきており、現場では、トレンチカバーを切断加工してケーブル引き出し用開口部を設けるなど、現場対応をしている状態であった。
【０００４】
以上のように、この種の技術においては上記の各構造による対応で、施工の困難性、部品点数の増加、配線立ち上げの取り扱いが面倒である等の問題は残るものの、床パネル、配線器具において配線の立ち上げ、引き出しを可能にしている。
【０００５】
また、生産性、作業性を向上するために、十文字形状をなす直交配線溝部およびこの直交配線溝部と同一幅を有する正方形の方形支持ブロックを一体成型したベースとこの溝部を覆うカバー部とで構成された二重床パネルも提案されている（特許文献２）。
【先行技術文献】
【特許文献】
【０００６】
【特許文献１】特開２００１−０９０３２５号公報
【特許文献２】特開２００１−３４９０４３号公報
【発明の概要】
【発明が解決しようとする課題】
【０００７】
しかしながら、上記従来技術では以下のような問題がある。
特許文献１の二重床用構造体の場合は、敷設作業に時間がかかり、作業性が十分でないという問題があった。
また上記特許文献２では、直交配線溝部と同一幅を有する正方形の方形支持ブロックを一体成型した構造を用いているため、成型性が良好である。
しかしながら特許文献１、２のいずれの構造においても、これらパネルに配線を挿通するものであるため、床下に別途配線を行うため、コンセントの位置を変える際には、フロアパネルを外した上で配線を敷設しなおす必要があった。またブロックの敷設だけでなく、配線も煩雑であった。
【０００８】
特に近年、オフィスでは、電力線だけでなく通信線を敷設する必要があり、さらには電力線においても直流電力線、交流電力線と別に敷設する場合もあり、大型化を招くだけでなく、配線作業が煩雑であるという問題もあった。
【０００９】
本発明は前記実情に鑑みてなされたもので、敷設が容易でかつ、設計変更がし易い、配線システムを提供することを目的とする。
また、本発明は、前記実情に鑑みてなされたものであって、敷設方向の制限をなくし、敷設作業性を高めることを目的とする。
さらに、本発明は、配線取り出し口の形成位置に対する自由度の高いフロアパネルを提供することを目的とする。
【課題を解決するための手段】
【００１０】
本発明は、平坦面からなる天面を有するパネル本体と、前記パネル本体の隅部に設けられ、前記パネル本体同士を連結するジョイナを載置する凹部と、前記パネル本体の内部に収納された、電力線または通信線の少なくとも一方と、前記凹部のうち複数個所に設けられ、前記電力線または通信線の接続用電極とを具備し、複数を敷き詰めることでフロア面を構成するシステムフロア用のフロアパネルと、前記フロアパネルの周縁の一部に重なるように配置され、複数のフロアパネルを結合するジョイナとで構成され、前記フロアパネルと前記ジョイナの配置により、前記電力線または通信線の少なくとも一方の配線を選択可能に形成された配線システムを提供する。
この構成によれば、フロアパネル自体が配線となる薄型の配線システムを提供するため、別途に電力線と通信線をフロアパネル下に敷設する必要がなくなり、施工及び配線形態の変更時の効率化をはかることができる。
【００１１】
また本発明は、平坦面からなる天面を有するパネル本体と、前記パネル本体の隅部に設けられ、前記パネル本体同士を連結するジョイナを載置する凹部と、前記パネル本体の内部に収納された、電力線または通信線の少なくとも一方と、前記凹部のうち複数個所に設けられ、前記電力線または通信線の接続用電極とを具備し、複数を敷き詰めることでフロア面を構成するシステムフロア用のフロアパネルを提供する。
この構成によれば、フロアパネル自体が配線となるため、別途に電力線と通信線をフロアパネル下に敷設する必要がなくなり、施工及び配線形態の変更時の効率化をはかることができる。フロアパネルは、正方形に限定されることなく、正三角形、六角形など、最密充填可能な多角形であればよい。
【００１２】
また本発明は、上記フロアパネルにおいて、前記パネル本体が正方形であり、前記凹部は前記正方形の４隅に設けられた正方形の凹部であるものを含む。
この構成によれば、連続構造が容易に形成され、置き換えによる設計変更がきわめて容易となる。
【００１３】
また本発明は、上記フロアパネルにおいて、前記接続用電極は、前記正方形の４辺のうちの１辺の両端に位置する凹部にのみ設けられているものを含む。
この構成によれば、フロアパネルの一辺に配線接続機能を限定させることで、電力線や通信線の不要なループ配線がなく、接続方向を明確にすることができ、ループ配線によるノイズや劣化を抑制することが可能となる。
【００１４】
また本発明は、上記フロアパネルにおいて、前記天面に、前記両端に位置する凹部に前記接続用電極を設けてなる前記１辺を表示する表示を具備したものを含む。
この構成によれば、取り外さなくても、配線方向がよくわかり、敷設作業性が良好となる。
【００１５】
また本発明は、上記フロアパネルにおいて、前記電力線または通信線は、前記パネル本体の裏面側に収納されるケーブルであるものを含む。
この構成によれば、既存のケーブルを収納すればよいため、余剰部分も不要であり、ノイズの抑制が可能である。
【００１６】
また本発明は、上記フロアパネルにおいて、前記電力線または通信線は、前記パネル本体内に埋め込み成型されたものを含む。
この構成によれば、パネル本体に埋め込み成形されるため、小型化が可能でかつ、強度的にも優れたものとなり、耐久性が向上する。
【００１７】
また本発明は、上記フロアパネルにおいて、前記電力線または通信線は、前記パネル本体で絶縁被覆された芯線であるものを含む。
この構成によれば、芯線のままパネル本体に埋め込めばよいため、生産性も高くかつパネルの更なる薄型化を図ることができる。
【００１８】
また本発明は、上記フロアパネルにおいて、前記パネル本体は、樹脂成型体で構成され、前記電力線または通信線の少なくとも一方を構成する導電板のパターンを挟んで一体成型されたものを含む。
この構成によれば、ケーブルではなく、金属板などの導電板を打ち抜き加工などによりパターニングして、絶縁物である樹脂と一体成型することで得られるため、配線抵抗の低減を図ることが可能となる。
【００１９】
また本発明は、上記フロアパネルにおいて、前記パネル本体は、セラミック成型体で構成され、前記電力線または通信線の少なくとも一方を構成する導電板のパターンを挟んで積層成型されたものを含む。
この構成によれば、金属板などの導電板を打ち抜き加工などによりパターニングして、絶縁物であるセラミック板の間に積層して圧着することでフロアパネルを形成するため、配線抵抗の低減が可能となるだけでなく、極めて生産性が高くかつ、機械的強度が高いものとなる。
【００２０】
また本発明は、上記フロアパネルにおいて、前記電力線または通信線は、同一層で構成されたものを含む。
この構成によれば、打ち抜き加工などによるパターニングで容易に形成でき、薄型化を図ることができる。
【００２１】
また本発明は、上記フロアパネルにおいて、前記電力線または通信線は、異なる層で構成されたものを含む。
この構成によれば、独立した配線が可能となり、電力線と通信線とを別方向となるように配線したフロアパネルを形成することも可能である。
【００２２】
また本発明は、上記フロアパネルにおいて、前記天面中央に着脱自在に装着された開閉式の取り出し電極を具備し、前記取り出し電極は前記電力線または通信線の少なくとも一方に接続されたものを含む。
この構成によれば、開閉式の取り出し電極により、機器の接続がきわめて簡単となる。
【００２３】
また本発明は、上記フロアパネルにおいて、前記天面中央に開口部を有するとともに、かつその開口部側面に、前記電力線または通信線の少なくとも一方に接続された接続電極を有し、前記取り出し電極が前記接続電極に接続されるように、前記開口部に着脱自在に装着された取り出しユニットを含むものを含む。
この構成によれば、開口部に取り出しユニットを着脱自在に形成することで、配線取り出しがこの取り出しユニットのみで達成され、取扱がきわめて容易となる。
【００２４】
また本発明は、上記フロアパネルにおいて、前記取り出しユニットと同一の外形を有し、取り出しユニット不要時に前記開口部に装着される埋め込みユニットを具備したものを含む。
この構成によれば、取り出しをするフロアパネルにのみ取り出しユニットを装着し、それ以外の開口部には埋め込みユニットを装着することで、容易に取り出しが可能となる。
【００２５】
また本発明は、上記フロアパネルの前記凹部に装着され、隣接する複数のフロアパネルを接続するとともに、前記電力線または通信線の少なくとも一方を、前記複数のフロアパネルの内の一組と電気的に相互接続するように構成されたジョイナを構成する。
この構成によれば、ジョイナによって、隣接するフロアパネルの電気的接続を達成しているため、容易に接続可能である。ジョイナは正方形であることが望ましいが円形など、適宜選択可能である。
【００２６】
また本発明は、上記ジョイナにおいて、前記ジョイナが、前記フロアパネルに形成された接続孔に挿通される接続ピンを有し、前記接続ピンによって前記フロアパネルと前記ジョイナとを固定するように構成されたものを含む。
この構成によれば、ジョイナの接続を接続ピンで行うことで、容易に接続が可能となる。
【００２７】
また本発明は、上記ジョイナにおいて、前記ジョイナが、正方形状をなし、前記フロアパネルを４枚接続するように構成され、前記４辺のうち２辺もしくは３辺上に位置する前記接続ピン間の前記電力線または通信線の少なくとも一方を接続するように構成されたものを含む。
この構成によれば、ジョイナの回転により、所望のフロアパネル間の接続が実現可能となる。
【００２８】
また本発明は、上記ジョイナにおいて、前記ジョイナは、スイッチを内蔵し、スイッチのオンオフにより、接続方向を選択可能に構成されたものを含む。
この構成によれば、ジョイナに配設されたスイッチにより、選択方向を自在に選択可能であるため、作業性がきわめて良好となる。
【００２９】
また本発明は、上記ジョイナにおいて、前記ジョイナは、接続ピンに加えて、固定用ピンを具備したものを含む。
この構成によれば、電気的接続を行う接続ピンと、物理的固定を行う固定用ピンとで接続を達成しているため、極めて信頼性の高い接続が可能となる。
【００３０】
また本発明は、上記ジョイナにおいて、前記接続ピンの周りを囲むように前記固定用ピンが設けられ、前記接続ピンおよび前記固定用ピンは、同一軸をもつものを含む。
この構成によれば、同軸形成された接続ピンおよび固定用ピンによってフロアパネル間の接続が行われるため、信頼性の高いものとなる。
【００３１】
また本発明は、上記ジョイナにおいて、前記接続ピンは、周上に部分的に接続領域を有しており、回転により、接続のオンオフが選択可能に構成されたものを含む。
この構成によれば、回転によりオンオフが選択できるように構成することで、取扱が容易となる。
【００３２】
また本発明は、上記フロアパネルを、上記ジョイナで固定され、前記フロアパネルと前記ジョイナの配置により、前記電力線または通信線の少なくとも一方の配線を選択可能に形成された配線システムを含む。
この構成によれば、この構成により設計が容易なフロア配線が可能となる。
【００３３】
また本発明は、上記配線システムにおいて、上面を覆うカバー部材を具備したものを含む。
この構成によれば、極めて簡単な構造で薄型の配線システム構造を実現することができる。
【発明の効果】
【００３４】
以上説明してきたように、本発明によれば、コンセントの位置を変えるなどの設計変更に際しても、フロアパネルの配置ひいてはジョイナの配置のみで所望の設計変更が可能となり、極めて取扱が容易な配線システムを提供することが可能となる。
また、配線取り出しの自由度が向上する。
【図面の簡単な説明】
【００３５】
【図１】本実施の形態１の本実施の形態の配線システムの構成を示す１単位の上面図
【図２】本実施の形態１の配線システムの１単位を示す図
【図３】本実施の形態１の配線システムを構成するフロアパネルの要部拡大上面図
【図４】本実施の形態１の配線システムを構成するフロアパネルの要部拡大断面図
【図５】本実施の形態１の配線システムを構成するフロアパネルの斜視図
【図６】本実施の形態１の配線システムを構成するジョイナを示す図であり、（ａ）は上面図、（ｂ）は（ａ）のＡ−Ａ断面図、（ｃ）は（ａ）のＢ−Ｂ断面図
【図７】本実施の形態１の配線システムの接続ピンを示す図
【図８】本実施の形態１の配線システムにおいてフロアパネルとジョイナとを接続する直前の状態を示す図
【図９】本実施の形態１の配線システムにおいてフロアパネルとジョイナとを接続した状態を示す図
【図１０】本実施の形態１のジョイナの上視図
【図１１】本実施の形態１の配線システムの説明図であり、（ａ）はフロアパネルにおける実際の接続例であり、（ｂ）はその天面表示を示す図、（ｃ）はフロアパネルの敷設例を示す図
【図１２】本実施の形態１の配線システムのフロアパネルの変形例を示す図
【図１３】本実施の形態１のジョイナの接続パターン例を示す図
【図１４】本実施の形態１の配線システムを用いた配線例を示す図
【図１５】本実施の形態１の配線システムを用いた配線例を示す図
【図１６】本実施の形態１の配線システムを用いた配線例を示す図
【図１７】本実施の形態２の配線システムにおけるフロアパネルとジョイナの配置を示す図
【図１８】本実施の形態２の配線システムにおけるスイッチの一例を示す図
【図１９】本実施の形態２の配線システムにおけるジョイナの天面を示す図
【図２０】本実施の形態３のジョイナを示す上面図
【図２１】本実施の形態４のジョイナを示す図であり、（ａ）はジョイナの上面図、（ｂ）は接続ピンの上面図、（ｃ）は接続ピンの斜視図
【図２２】本実施の形態５の接続ピンを示す斜視図
【図２３】本実施の形態６の配線システムの要部を示す図であり、（ａ）はジョイナと接続ピンの接続例を示す上面図、（ｂ）はフロアパネルおよびジョイナと接続ピンの接続例を示す側面図
【図２４】本実施の形態７の配線システムのジョイナを示す図であり、（ａ）は接続用ポケットを閉じた状態を示す図、（ｂ）は接続用ポケットを開いた状態を示す図
【図２５】本実施の形態８の配線システムのジョイナを示す図であり、接続用ポケット付きのジョイナを示す図であり、（ａ）は上面図、（ｂ）は（ａ）のＡ−Ａ断面図、（ｃ）は（ａ）のＢ−Ｂ断面図
【図２６】本実施の配線システムのフロアパネルの変形例を示す図
【図２７】本実施の配線システムのフロアパネルの変形例を示す図
【図２８】本実施の配線システムのフロアパネルの変形例を示す図
【図２９】従来例の配線用床材を示す図
【図３０】従来例の配線用床材を示す図
【発明を実施するための形態】
【００３６】
以下、本発明の実施の形態について図面を参照しつつ詳細に説明する。図１は本実施の形態の配線システムの構成を示す１単位の上面図、図２は、同配線システムの１単位を示す図、図３は、同配線システムを構成するフロアパネルの要部拡大上面図、図４は、同配線システムを構成するフロアパネルの要部拡大断面図、図５はフロアパネルの斜視図、図６は、ジョイナを示す図であり、（ａ）は上面図、（ｂ）は（ａ）のＡ−Ａ断面図、（ｃ）は（ａ）のＢ−Ｂ断面図、図７は接続ピンを示す斜視図、図８は同配線システムにおいてフロアパネルとジョイナとを接続する直前の状態を示す図、図９は同配線システムにおいてフロアパネルとジョイナとを接続した状態を示す図、図１０はジョイナを上方からみた外観図である。
【００３７】
この配線システムは、図１及び図２に示すように、床面に敷き詰められる複数のフロアパネル１００と、複数のフロアパネル１００を結合するジョイナ２００とで構成され、フロアパネルとジョイナの配置により、電力線または通信線の少なくとも一方の配線を選択可能に形成され、配線を自在に変更可能に構成されたものである。このフロアパネル１００は、図３乃至５に示すように、平坦面からなる天面を有するパネル本体１０１と、前記パネル本体１０１の隅部に設けられ、前記パネル本体同士を連結するジョイナ２００を載置する凹部１０３と、前記パネル本体１０１の内部に収納された、電力線４００または通信線５００の少なくとも一方と、前記凹部１０３のうち複数個所に設けられ、前記電力線４００または通信線５００の接続用電極４０１、５０１とを具備し、複数を敷き詰めることでフロア面を構成する。またジョイナ２００はシステムフロア用のフロアパネル１００の周縁に設けられた凹部１０３に重なるように配置され、複数のフロアパネルを結合する。ここではフロアパネル１００は４枚のみ記載しているが、多数のフロアパネル１００の連続形成体となっている。
【００３８】
ここでフロアパネル１００のパネル本体１０１は図３に要部拡大上面図、図４に断面図、図５に斜視図を示すように、正方形の樹脂成型体で構成されており、電力線４００および通信線５００を構成する配線板を挟んで射出成型などにより形成される。ここで凹部も正方形で構成されている。そしてこのフロアパネル１００には、接続孔１０２が設けられており、この接続孔１０２の内壁には電力線４００および通信線５００の端面が露呈して、電力線接続用電極４０１、通信線接続用電極５０１を形成している。
【００３９】
そして図４に断面図を示すようにこの電力線接続用電極４０１、通信線接続用電極５０１は、望ましくは前記正方形の４辺のうちの１辺の両端に位置する凹部にのみ設けられる。
この構成により、フロアパネル１００の一辺に配線接続機能を限定させることで、電力線や通信線の不要なループ配線がなく、接続方向を明確にすることができ、ループ配線によるノイズや劣化を抑制することが可能となる。
【００４０】
そして、ジョイナ２００が、図６（ａ）乃至（ｃ）に示すように、ジョイナ２００のジョイナ接続孔２０２を貫通して前記フロアパネル１００に形成された接続孔１０２に挿通される接続ピン３００を有し、この接続ピン３００によってフロアパネル１００とジョイナ２００とを固定するとともに電気的接続を実現する。ジョイナについても正方形の樹脂成型体２０３で構成されており、ジョイナ接続線２０４を構成する配線板を挟んで射出成型などにより形成される。２０２はジョイナ接続孔である。
この電気的接続は、フロアパネル１００における電力線接続用電極４０１あるいは通信線接続用電極５０１の有無とジョイナのジョイナ接続孔２０２におけるジョイナ接続線２０４の有無、接続ピン３００の絶縁被覆領域からなる絶縁部３０２の有無によって、決定される。
【００４１】
接続ピン３００は図７（ａ）または（ｂ）に示すように、絶縁性樹脂で構成されたキャップ３０３を有する銅ピン部３０１と、この一部を帯状に被覆する絶縁部３０２とを具備している。図７（ａ）および（ｂ）は、この銅ピン部３０１の一部を帯状に被覆する絶縁部３０２の位置で、電気接続の方向が変化するように構成されている。
【００４２】
フロアパネル１００とジョイナ２００と接続ピン３００の組み合わせにより、導通方向が容易に変更可能に形成されている。
【００４３】
そして、図８及び図９に要部拡大断面図を示すように、フロアパネル１００を並べ、ジョイナと接続ピンの位置決めを行うとともに、フロアパネル１００の接続孔１０２とジョイナ２００のジョイナ接続孔２０２を貫通するように、接続ピン３００を挿入し、固定する。
【００４４】
この接続ピン３００は、左側では図７（ｂ）に示すように、下側に絶縁部３０２を形成したもので、下側の通信線５００の通信線接続用電極５０１とは接続せず、上側の電力線接続用電極４０１を接続するように構成されている。これにより、電力線はジョイナ２００のジョイナ接続線２０４を介して隣接するフロアパネル１００の電力線接続用電極４０１に接続される。
また右側の接続ピン３００は、図７（ａ）に示すように、上側に絶縁部３０２を形成したもので、上側の電力線４００の電力線接続用電極４０１とは接続せず、下側の通信線接続用電極５０１を接続するように構成されている。これにより、通信線はジョイナ２００のジョイナ接続線２０４を介して隣接するフロアパネル１００の通信線接続用電極５０１に接続される。
【００４５】
なおこの接続ピン３００は接続に際し、打ち込みにより、頭部のキャップ３０３がフロアパネル１００の表面と同一面上にくるように、埋め込み形成されることで、接続が強固となるとともに、表面の平坦性を保持することができる構成となっている。
【００４６】
その結果、図１０に例えば方向表示マーク６００を示すように、この方向表示マーク６００に対応する方向に電気的接続がなされるものとなる。
このように、上記フロアパネル１００においては、図１０に示すように、天面に、前記両端に位置する凹部１０３に前記接続用電極を設けてなる前記１辺を表示する方向表示マーク６００を有しており、取り外さなくても、配線方向がよくわかり、敷設作業性が良好となるように構成されている。
【００４７】
本実施の形態の配線システムは、フリーアクセスフロア置き敷きタイプのフロアパネルを構成するものであり、フロアパネル自体に、部屋のフロア全体或いは一部に縦横に延びるように配線が埋め込まれており、配線用フロアパネルを構成する。
【００４８】
以上のように、本実施の形態では、フロアパネル１００をジョイナ２００と接続ピン３００とで接続することで、所望の配線システムを提供することができるものであるが、接続例を図１１（ａ）乃至（ｃ）に示す。図１１（ａ）はフロアパネル１００における実際の接続例であり、図１１（ｂ）はその天面表示を示す図である。またフロアパネル１００の敷設例を図１１（ｃ）に示す。６００に方向表示マークを示すように、これらの組み合わせにより、自在な接続が実現される。
【００４９】
この配線システムは、これを１つの床ユニットとしてこれを複数配設して構成される。
【００５０】
なお、前記実施の形態では、天面に、前記両端に位置する凹部１０３に前記接続用電極を設けてなる前記１辺を表示する方向表示マーク６００を有し、取り外さなくても、配線方向がよくわかり、敷設作業性が良好となるように構成したが、方向表示マークに限定するものではない、以下のような構成をとるようにしてもよい。
【００５１】
例えばフロアパネルの上層にカバー部材（図示せず）を配置してもよい。カバー部材は上方から配線内部を透視できるように透明或いは半透明の樹脂材料などで構成されようにしてもよい。少なくともパネル本体を透明或いは半透明の樹脂材料で形成することでどのような配線となっているかを一目でわかるようにすることができる。フリーアクセスフロアでは、配線替えが容易であることが重要課題の１つであるが、この構成によれば、方向表示マーク６００の形成により、カバー部材を配置したままでも配線状態がわかるため、配線替えの際にはどこにどの接続機器があるのか理解することができ、フロアパネルあるいはカバー部材を取外すことなく配線替えを行うことができる。
【００５２】
なお、前記実施の形態では、図４に断面図を示したようにフロアパネルの電力線４００あるいは通信線５００をパネル本体１０１の端部には到達しないように形成したが、図１２に断面図を示すようにフロアパネル１００の電力線４００あるいは通信線５００をパネル本体１０１の端部に到達するように形成してもよい。
【００５３】
図１３はジョイナのパターン例であり、図１３（ａ）乃至（ｃ）の３つあるいは（ｄ）を加えた４つのパターンを用いることにより、種々の接続に適用可能である。
【００５４】
図１４乃至図１６は各ジョイナを用いたフロアパネル１００の接続例を示す図である。このようにピン関の接続形態の異なるジョイナを複数用意することでフロアパネル１００の向きを変え、そのパネルをジョイナで接続することにより、分岐配線なども用意に実現可能である。
【００５５】
（実施の形態２）
次に、この配線システムを用いた配線例について説明する。
前記実施の形態１では、図１３（ａ）乃至（ｃ）に示すように、３つあるいは（ｄ）を加えた４つのパターンを用いることにより、種々の接続に適用可能であることを説明したが、本実施の形態では、ジョイナ２００にスイッチ２０５を設置することで、１種類のジョイナですべての接続を実現可能である例について図１７乃至図１９に示す。図１７はフロアパネルとジョイナの配置を示す図、図１８はここで用いられるスイッチ２０５の一例を示す図、図１９はジョイナの天面を示す図である。
この例では、図１８に示すように、ジョイナ２００に設けられたスイッチ２０５により、どの接続ピン３００を接続するかで種々のパターンを実現することができ、１種類のジョイナで図１３（ａ）乃至（ｄ）に示したすべての接続が実現されるように構成され、スイッチ操作で所望の接続例を実現することができる。
【００５６】
（実施の形態３）
次に、本発明の実施の形態３として、接続ピンを、電気的接続用の第１の接続ピン３００ａと、機械的接続用の第２の接続ピン３００ｂとで構成した例について説明する。
図２０にジョイナの上面説明図を示すように、ジョイナに２つずつジョイナ接続孔を形成し、電気的接続用の第１の接続ピン３００ａと、機械的接続用の第２の接続ピン３００ｂとを独立したピンで構成するものである。なお、機械的接続用の第２の接続ピン３００ｂについては、固定を目的としてネジ込み式などで接続するようにすればよい。
【００５７】
各接続ピンの構成については、適宜選択可能であるが、電気的接続用の第１の接続ピン３００ａについては、前記実施の形態１で説明した接続ピン３００と同様に形成すればよく、第２の接続ピン３００ｂはフロアパネル１００とジョイナを固定できる構造であればよい。
【００５８】
（実施の形態４）
次に、本発明の実施の形態４として、接続ピンを、２重管構造とした例について説明する。この接続ピン３００ｗは図２１に示すように、外側を可撓性のフィルム基板３０５上に導体パターンからなる電気的接続領域３０６を形成した環状の外管３００ｏと、この外管３００ｏと同軸をなすように配置され、機械的接続用として内側から環状の外管３００ｏを外側に押しつけながら接続孔に嵌合する円柱状の内管３００ｉとで構成されている。図中（ａ）はジョイナの上面図、（ｂ）は接続ピンの上面図、（ｃ）は接続ピンの斜視図である。
本実施の形態によれば、電気的接続用の外管と、機械的接続用の内管とで構成することで、機械的接続と電気的接続とが独立して行われ、かつ専有面積も小さいという利点がある。
【００５９】
（実施の形態５）
次に、本発明の実施の形態５として、図２２に示すように、接続ピンを１本の銅ピンで構成し、電気的接続領域３０６を形成した作用部と、作用部の上端部と下端部に形成された機械的接続領域３０７とで構成したものである。
作用部は、電気的接続を要しない領域にポリイミド膜などの絶縁膜３０５を形成している。
本実施の形態によれば、電気的接続用の領域と、機械的接続用の領域とからなる１本のピンで構成することで、機械的接続と電気的接続とが独立して行われ、かつ専有面積も小さい。
【００６０】
（実施の形態６）
次に、本発明の実施の形態６として、図２３に示すように、接続ピンを挿入後、回転により、フロアパネル１００とジョイナ２００との接続を行うようにしたものについて説明する。（ａ）は上面説明図、（ｂ）は断面説明図である。
本実施の形態では、接続ピン３００に電気的接続用の突起部３０８を形成しており、これを回転させることで、接続孔１０２に露呈する電力線接続用電極４０１にこの突起部３０８が接触することで電気的接続が達成されるものである。
この場合は接続ピン内に導電性パターンが内蔵されており、電気的接続が達成される。
この導電性パターンは、樹脂からなる接続ピンに導電線を一体成型することによって、容易に形成可能である。
また、スルーホール内をメッキなどによりメタライズすることによっても形成可能である。
さらにまた、接続ピンを、内部および側壁に導体パターンを露呈するとともに内部に導体パターンを有する積層セラミックで構成してもよい。
【００６１】
（実施の形態７）
次に、本発明の実施の形態７として、電子機器の接続のための接続部について説明する。図２４（ａ）および（ｂ）に示すように、ジョイナ２００の中央に形成された接続用ポケット７０１が開閉可能に形成され、接続用ポケットを取り出してコンセントに電子機器を差し込むことで電気的接続が達成されるように構成されている。図２４（ａ）は接続用ポケットを閉じた状態を示す図、（ｂ）は接続用ポケットを開いた状態を示す図である。７００は接続用ポケット形成用の凹部である。この接続用ポケット７０１にはコンセントが形成されている。図２５は接続用ポケット付きのジョイナを示す図である。（ａ）は上面図、（ｂ）は（ａ）のＡ−Ａ断面図、（ｃ）は（ａ）のＢ−Ｂ断面図である。
このジョイナの接続用ポケットの構造としては前記実施の形態１で説明したのと同様に、正方形の樹脂成型体で構成されており、電力線４００および通信線５００を構成する配線板を挟んで射出成型などにより形成される。ここで凹部も正方形で構成されている。
そしてこのジョイナ２００には、接続孔１０２が設けられており、この接続孔１０２の内壁には電力線４００および通信線５００の端面が露呈して、電力線接続用電極４０１Ｓ、通信線接続用電極５０１Ｓを形成している。
ここでもジョイナとジョイナポケットの電気的接続は、フロアパネル１００とジョイナとの接続と同様に、孔に露呈する電極の接続で達成される。
【００６２】
そして図２５（ｃ）に断面図を示すように接続用ポケット形成用の凹部７００に接続用ポケット７０１が、設けられている。
ここでコンセントが不要な場合は、配線なしの樹脂成型体が充填されていればよい。
【００６３】
なお前記実施の形態では、電力線および通信線を形成したが、いずれかであってもよい。また、電力線および通信線は、配線板で構成したが、図２６に示すようにフロアパネル内部では通常の絶縁被覆ケーブル４０３で構成してもよい。また図２７に示すように裸のケーブル４０４をフロアパネルのパネル本体１０１を成形する際に埋め込み成形するようにしてもよい。また、図２３に示すように絶縁被覆ケーブル４０３をパネル本体の裏面側に凹部４０５を形成しこの凹部４０５に収納するようにしてもよい。いずれの場合も接続用電極の部分では前記実施の形態１で図４に示したジョイナと同様に凹部で接続孔内に接続用電極が露呈するように構成される。ここで、各配線ケーブルと電力線接続用電極４０１あるいは通信線接続用電極５０１との接続は別の断面で行われているものとする。
さらにまた、前記実施の形態ではパネル本体を樹脂成型体で構成したが、内部および側壁に導体パターンを露呈するとともに内部に導体パターンを有する積層セラミックで構成してもよい。
【００６４】
また、前記実施の形態では、フロアパネルが正方形であるものについて説明したが、正方形に限定されることなく、三角形、六角形など、他の形状であってもよい事は言うまでもない。また、ジョイナの形状についても正方形に限定されることなく、円形、三角形、六角形など適宜変更可能である。
【符号の説明】
【００６５】
１００  フロアパネル
１０１  パネル本体
１０２  接続孔
１０３  凹部
２００  ジョイナ
２０２  ジョイナ接続孔
２０４  ジョイナ接続線
３００、３００ｗ  接続ピン
３００ａ  第１の接続ピン
３００ｂ  第２の接続ピン
３０２  絶縁部
４００  電力線
４０１、４０１Ｓ  電力線接続用電極
５０１、５０１Ｓ  通信線接続用電極
５００  通信線
６００  方向表示マーク
【図１】
2011111774.tif 000003
【図２】
2011111774.tif 000004
【図３】
2011111774.tif 000005
【図４】
2011111774.tif 000006
【図５】
2011111774.tif 000007
【図６】
2011111774.tif 000008
【図７】
2011111774.tif 000009
【図８】
2011111774.tif 000010
【図９】
2011111774.tif 000011
【図１０】
2011111774.tif 000012
【図１１】
2011111774.tif 000013
【図１２】
2011111774.tif 000014
【図１３】
2011111774.tif 000015
【図１４】
2011111774.tif 000016
【図１５】
2011111774.tif 000017
【図１６】
2011111774.tif 000018
【図１７】
2011111774.tif 000019
【図１８】
2011111774.tif 000020
【図１９】
2011111774.tif 000021
【図２０】
2011111774.tif 000022
【図２１】
2011111774.tif 000023
【図２２】
2011111774.tif 000024
【図２３】
2011111774.tif 000025
【図２４】
2011111774.tif 000026
【図２５】
2011111774.tif 000027
【図２６】
2011111774.tif 000028
【図２７】
2011111774.tif 000029
【図２８】
2011111774.tif 000030
【図２９】
2011111774.tif 000031
【図３０】
2011111774.tif 000032